(57)【要約】【課題】従来の携帯電話装置では、発信者の画像を電子電話帳の電話番号に関連づけて登録しておくことにより、着信した発信者電話番号が電話帳に登録した電話番号と一致したときに、対応する発信者の画像を表示している。【解決手段】本発明は、発信者の画像を電子電話帳の電話番号に関連づけて登録していなくても、電話番号と画像情報、またはメールアドレスと画像情報のいずれか一組の情報を含む発信者画像情報を受信して、発信者画像情報記憶手段に記憶することにより、着信した電話番号が発信者画像情報記憶手段に記憶してある電話番号と一致したときは、発信者画像情報記憶手段から対応する発信者の画像を読み出して表示する。また、撮影手段と送信指示入力手段を設け、送信指示信号を入力すると、送信指示信号を入力した発信者を撮影して発信者画像情報として送信する。【選択図】  図３
2004201221.tif 000002
【特許請求の範囲】
【請求項１】
電話番号と画像情報またはメールアドレスと画像情報のいずれか一組の情報を含む発信者画像情報を受信する受信手段と、
受信した前記発信者画像情報を記憶する発信者画像情報記憶手段と、
前記発信者画像情報記憶手段から画像情報を読み出して表示する表示手段と、
受信した発信者電話番号またはメールアドレスを前記発信者画像情報記憶手段に記憶してある電話番号またはメールアドレスと照合する照合手段とを有し、
発信者電話番号または発信者のメールアドレスを受信すると、前記照合手段により、前記発信者画像情報記憶手段に記憶されている電話番号またはメールアドレスと照合し、
一致したときは、一致した電話番号またはメールアドレスと関連付けて記憶している発信者の画像を前記表示手段に表示するようにしたことを特徴とする無線通信端末装置。
【請求項２】
上記構成に加え、電話番号と画像情報またはメールアドレスと画像情報のいずれか一組の情報を含む発信者画像情報を送信する送信手段を更に設けたことを特徴とする請求項１に記載の無線通信端末装置。
【請求項３】
上記構成に加え、送信指示入力手段と、撮影手段とを更に有し、前記送信指示入力手段と前記撮影手段とを同一面側に配置した構成として、前記送信指示入力手段により送信指示信号を入力すると、送信指示入力手段を操作した発信者の画像を撮影手段で撮影し、発信者の画像と電話番号または発信者の画像とメールアドレスという一組の情報を含む発信者画像情報を送信することができるようにしたことを特徴とする請求項１に記載の無線通信端末装置。
【請求項４】
上記構成に加え、発信者画像情報表示スイッチを更に有し、他の無線通信端末装置から受信した発信者電話番号または発信者メールアドレスが前記発信者画像情報記憶手段に記憶されている電話番号またはメールアドレスと一致したときに、前記発信者画像情報表示スイッチにより、表示か非表示かを指示する信号を入力できるように構成したことを特徴とする請求項１から請求項３のいずれかに記載の無線通信端末装置。
【発明の詳細な説明】
【０００１】
【発明の属する技術分野】
本発明は、着信があったときに発信者の画像情報を表示して、受信者が画像により発信者を識別できるようにした携帯電話装置などの無線通信端末装置に関する。
【０００２】
【従来の技術】
携帯電話装置などの無線通信端末装置では、利用者があらかじめ、電子スチルカメラ等で撮影した画像、インターネット経由で取得した画像または自分で筆記したイラストなどの発信者の画像情報を、画像取込手段を用いて、電話番号とともに電話番号と関連付けた形で記憶手段に取り込んでおくことにより、他の無線通信端末装置から着信があったときに、発信者の電話番号と記憶手段に取り込んである電話番号を照合し、一致したときは電話番号と対応する発信者の画像を表示して、誰からの着信かを識別できるようにすることが提案されていた（例えば、特許文献１）。
【０００３】
そして、最近の携帯電話装置では、電子電話帳に登録してある電話番号に発信者の画像を関連付けて登録しておくことにより、着信した発信者電話番号を電子電話帳に登録した電話番号と照合し、一致した電話番号に対応する画像を表示するようにしたものが実用化されている。
【０００４】
【特許文献１】
特開２０００−２５３１１１号公報（第４頁、第２図）
【０００５】
【発明が解決しようとする課題】
しかし上記の従来技術では、あらかじめ利用者が発信者の画像を画像取込手段で取り込んで記憶手段に登録しておくことを前提としている。そのため、画像を登録していない発信者からの着信に対して画像が表示されることはない。
【０００６】
本発明は、利用者が発信者の画像を取り込んで記憶手段に登録する作業をしていなくても、電話番号と画像情報またはメールアドレスと画像情報を一組とした情報を含む発信者画像情報を受信したときは、発信者画像情報記憶手段に記憶して、発信者の画像を表示手段に表示するようにした無線通信端末装置を提供することを第一の目的としている。
【０００７】
そして、さらに発信者画像情報の送信もできるようにした無線通信端末装置を提供することを第二の目的としている。
【０００８】
更に本発明は、無線通信端末装置に送信指示信号を入力した発信者の画像を撮影して、発信者画像情報として送信する無線通信端末装置を提供することを第三の目的としている。
【０００９】
そして本発明は、発信者画像情報を受信したときに、着信時に表示するか表示しないかを選択できるようにした無線通信端末装置を提供することを第四の目的としている。
【００１０】
【課題を解決するための手段】
本発明は、上記第一の課題を解決するために、電話番号と画像情報またはメールアドレスと画像情報のいずれか一組の情報を含む発信者画像情報を受信し、発信者画像情報記憶手段に記憶し、引き続きまたはその後、発信者電話番号または発信者のメールアドレスを受信したときには、発信者画像情報記憶手段に記憶している電話番号またはメールアドレスと照合し、一致したときは電話番号またはメールアドレスに対応する画像を表示する。
【００１１】
このことにより、発信者画像情報を受信すれば、発信者の画像が表示されるようになるので、発信者の画像を見て応答すべきか否かを受信者が判断することが可能になる。
【００１２】
本発明は、上記第二の課題を解決するために、上記構成に加え、電話番号と画像情報またはメールアドレスと画像情報のいずれか一組の情報を含む発信者画像情報を送信する送信手段を設けている。
【００１３】
このことにより、発信者画像情報を受信して発信者の画像を表示するだけでなく、発信者画像情報を送信することができる。
【００１４】
本発明は、上記第三の課題を解決するために、上記構成に加え、送信指示入力手段と撮影手段とを設け、送信指示入力手段と撮影手段とを同一面側に配置した構成として、送信指示入力手段で送信指示信号を入力することにより、送信指示入力手段を操作した発信者の画像を撮影して発信者画像情報として送信する。
【００１５】
このことにより、送信指示信号を入力した発信者の画像を送信することができ、結果的に、他人に成りすまして電話をする、いわゆる成りすまし電話を防止することができる。
【００１６】
本発明は、上記第四の課題を解決するために、上記構成に加えて、発信者画像情報表示スイッチを設けている。
【００１７】
このことにより、発信者画像情報を受信したとしても、発信者画像情報表示スイッチにより、着信時に表示するか非表示にするかを選択することができる。
【００１８】
【発明の実施の形態】
本発明は、電話番号と画像情報またはメールアドレスと画像情報のいずれか一組の情報を含む発信者画像情報を受信する受信手段と、受信した発信者画像情報を記憶する発信者画像情報記憶手段と、発信者画像情報記憶手段から画像情報を読み出して表示する表示手段と、受信した発信者電話番号またはメールアドレスを前記発信者画像情報記憶手段に記憶してある電話番号またはメールアドレスと照合する照合手段とを有し、発信者電話番号または発信者のメールアドレスを受信すると、照合手段により、前記発信者画像情報記憶手段に記憶されている電話番号またはメールアドレスと照合し、一致したときは、一致した電話番号またはメールアドレスと関連付けて記憶している発信者の画像を表示手段に表示する構成を採る。
【００１９】
この構成により、発信者画像情報を受信し、その後も着信状態が続いているか、その後に着信があったときは、発信者の画像を見ることができる。
【００２０】
本発明は、上記構成に加え、電話番号と画像情報またはメールアドレスと画像情報のいずれか一組の情報を含む発信者画像情報を送信する送信手段を更に設けた構成を採る。
【００２１】
この構成により、発信者画像情報を送信することができる。
【００２２】
本発明は、更に上記構成に加えて、送信指示入力手段と、撮影手段とを有し、送信指示入力手段と撮影手段とを同一面側に配置し、送信指示入力手段により送信指示信号を入力すると、送信指示入力手段を操作した発信者の画像を撮影手段で撮影し、発信者の画像と電話番号または発信者の画像とメールアドレスという一組の情報を含む発信者画像情報として送信する構成を採る。
【００２３】
この構成により、無線通信端末装置に送信指示信号を入力した発信者の画像を撮影して送信することができる。
【００２４】
更に本発明は、発信者画像情報表示スイッチを有し、他の無線通信端末装置から受信した発信者電話番号または発信者メールアドレスが発信者画像情報記憶手段に記憶されている電話番号またはメールアドレスと一致したときに、発信者画像情報表示スイッチにより、表示か非表示かを指示する信号を入力できるようにした構成を採る。
【００２５】
この構成により、着信時に、受信者側で発信者画像情報を表示するか、非表示にするかを選択することができる。
【００２６】
以下、図面と共に本発明の実施の形態を説明する。
【００２７】
（実施の形態１）
図１に、本発明の第１の実施の形態に係る無線通信端末装置である携帯電話装置１００を示す。図１に示す携帯電話装置１００は、第一の筐体２２にヒンジ２１を設け、ヒンジ２１で第二の筐体２３を開閉自在に支承している。第一の筐体２２には、電話番号を入力するテンキーや通話ボタンや終話ボタンなどからなるキー操作部２１７と、送話器として機能するマイクロフォン２２４を設けている。第二の筐体２３には、受話器として機能するレシーバ２２３、発信者の顔３０２などの画像を表示する表示手段２５を設けている。
【００２８】
図２に、前記携帯電話装置１００の概略ブロック図を示す。装置全体の制御を行う全体制御手段１８には、受話器として機能するレシーバ２２３、送話器として機能するマイクロフォン２２４、図示していないアンテナを介して無線送信を行う送信手段２２１、同じく図示していないアンテナを介して無線受信を行う受信手段２２２、電話番号と画像情報またはメールアドレスと画像情報のいずれか一組の情報を含む発信者画像情報を記憶する発信者画像情報記憶手段２２０、電話番号と氏名、メールアドレス、住所等のデータを関連付けて記憶する電子電話帳２２５、その他の情報を記憶する記憶手段２２６、電池電源２２７、キー操作手段２１７、表示手段２５、そして受信した発信者電話番号やメールアドレスを画像情報記憶手段２２０や電子電話帳２２５に記憶してある電話番号やメールアドレスと照合する照合手段２２８を接続している。
【００２９】
本発明の携帯電話装置１００では、上記の構成により、電話番号と画像情報またはメールアドレスと画像情報のいずれか一組の情報を含む発信者画像情報を受信手段２２２で受信すると、受信した発信者画像情報を発信者画像情報記憶手段２２０に記憶する。そして全体制御手段１８の制御の下、照合手段２２８で、受信した発信者電話番号または発信者のメールアドレスと、発信者画像情報記憶手段２２０に記憶した電話番号またはメールアドレスと照合する。照合が一致したときは、発信者画像情報記憶手段２２０から電話番号またはメールアドレスに対応する画像を読み出して表示手段２５に表示する。
【００３０】
図３に、本発明の携帯電話装置１００の着信時の制御動作のフローチャートを示す。図３に示すように、第一の筐体２２のキー操作部２１７にある電源ボタンを押すと電源が入り（ステップ１０１）、送信手段２２１、受信手段２２２が図示しない基地局と制御信号の間欠送受信を行う着信待ち受け状態になる。そして着信があると（ステップ１０２）、図示しない鳴動手段により着信音が鳴動する。そして、発信者電話番号を受信したときは表示手段２５に発信者電話番号を表示する（ステップ１０３）。発信者電話番号に発信者の画像情報が付いていたときは（ステップ１０４）、照合手段２２８により、受信した発信者電話番号またはメールアドレスを発信者画像情報記憶手段２２０に記憶してある電話番号またはメールアドレスと照合する（ステップ１０５）。一致しなければ、新しい発信者画像情報であるとして、発信者画像情報記憶手段２２０に登録する（ステップ１０６）。既に発信者画像情報が登録されている電話番号またはメールアドレスについて、重ねて発信者画像情報を受信したときは画像を更新する（ステップ１１３）。このことにより、着信時に相手に見せたい画像を発信者から送信して新たに登録したり、新しい画像に更新することができる。
【００３１】
登録が完了した時点で、着信状態が続いているときは（ステップ１０７）、ステップ１０６で登録した発信者の画像、またはステップ１１３で更新した発信者の画像を表示手段２５に表示する（ステップ１０８）。携帯電話装置１００の利用者は、表示手段２５に表示された発信者の画像を見て、電話に出るか出ないかを判断する。応答しないうちに発信者が発信を止めれば（ステップ１１４）、ステップ１０２の着信待ち受け状態に戻る。着信状態が続いているときに利用者がキー操作部２１７の通話開始ボタンを押して応答すれば（ステップ１０９）、通話が始まる（ステップ１１０）。そして、通話が終了すれば（ステップ１１１）、ステップ１０２の着信待ち受け状態に戻る。
【００３２】
このように発信者画像情報を受信したときは、照合手段２２８により照合し、発信者画像情報記憶手段２２０に登録済みの電話番号等でないときは、発信者画像情報記憶手段２２０に登録して、表示手段２５に表示する。このことにより、受信者は、発信者の画像を見て、電話に応答すべきかを判断することができる。
【００３３】
一度、発信者画像情報記憶手段２２０に登録すると、次回、同じ発信者からの着信があった場合には、仮に発信者の画像情報が付いていない発信者電話番号またはメールアドレスを受信したとしても、図３のステップ１１２で、受信した発信者電話番号またはメールアドレスが発信者画像情報記憶手段２２０に登録されているかどうかを照合する。登録されているときは、対応する画像を発信者画像情報記憶手段２２０から読み出して表示手段２５に表示する。
【００３４】
上記の本発明の第１の実施の形態に係る無線通信端末装置では、発信者画像情報を受信したときは、発信者の画像を見ることができるという効果がある。
【００３５】
（実施の形態２）
図４に、本発明の第２の実施の形態に係る無線通信端末装置であるカメラ付き携帯電話装置２００を示す。図４に示すカメラ付き携帯電話装置２００は、電子カメラ２４を第二の筐体２３の表示手段２５の隣に設け、第一の筐体２２の側面にカメラ撮影スイッチ２６を設けている。他の構成については、前記図１に示した本発明の第１の形態に係る携帯電話装置１００と同じであり、同じ部分については同じ番号を付して説明を省略する。
【００３６】
本発明の第２の実施の形態のカメラ付き携帯電話装置２００は、利用者が第一の筐体２２を手で持って、第二の筐体２３を開き、カメラ撮影スイッチ２６を２秒間、長押しすると、カメラモードの動作を開始する。すなわち、カメラ２４に電源が入り、カメラ付き携帯電話装置２００を手で持っている利用者の顔を撮像し、表示手段２５にモニター表示する。そして利用者が再度、カメラ撮影スイッチ２６を押すと、カメラ２４がとらえている画像情報を後述するカメラ用メモリー６１に記憶し、記憶した画像情報を表示手段２５に表示するようにしている。
【００３７】
図５に、本発明の第２の実施の形態に係るカメラ付き携帯電話装置２００の概略ブロック図を示す。図５において、全体制御手段１８にカメラモード制御手段５０とカメラ撮影スイッチ２６を接続している。カメラモード制御手段５０には、カメラ２４、カメラ用メモリー６１を接続し、表示手段２５に接続している。他の構成については、既に図２で説明した本発明の第１の実施の形態の携帯電話装置１００と同じなので、同じ部分には同じ番号を付して、説明を省略する。
【００３８】
この構成によれば、カメラ撮影スイッチ２６が長押しされると、全体制御手段１８がカメラモード制御手段５０にカメラモード動作を開始する信号を出す。カメラモード制御手段５０は、電池電源２２７からカメラ２４に電源を入れ、カメラ２４で撮像した画像情報を処理して表示手段２５に表示する。カメラ撮影スイッチ２６が再び押されたときは、全体制御手段１８から、カメラモード制御手段５０に撮影の指示信号が入り、撮像している画像情報をカメラ用メモリー６１に記憶させる。そして全体制御手段１８が、記憶した画像情報をカメラ付き携帯電話装置２００固有の電話番号またはメールアドレスと組にして、送信専用の発信者画像情報として発信者画像情報記憶手段２２０に登録するようにしている。この送信専用の発信者画像情報は、キー操作手段２１７の送信ボタンを押すことにより、送信手段２２１によって、他の携帯電話装置へ送信できるようにしている。
【００３９】
図６に、本発明の第２の実施の形態に係るカメラ付き携帯電話装置２００の制御動作のフローチャートを示す。図６では、発信者画像情報の発信動作と受信動作ができることを示している。受信したときの動作は、図５で説明した内容と同じなので、同じステップについては、同じ番号を付して、説明を省略する。
【００４０】
図６で、電源が入り（ステップ１０１）、着信待ち受け状態のとき（ステップ１０２）、カメラ撮影スイッチ２６が２秒間、長押しされて、カメラモード開始信号が入力されると（ステップ２０１）、カメラモードの動作が始まる（ステップ２０２）。カメラに電源が入り、表示手段２５にモニター表示がされる（ステップ２０３）。モニター表示しているときに、カメラ撮影スイッチ２６が押されると（ステップ２０４）、画像情報をカメラ付き携帯電話装置２００固有の電話番号またはメールアドレスと組にして送信専用の発信者画像情報として発信者画像情報記憶手段２２０に記憶する。そして、確認できるように表示手段２５に撮影した画像を表示する（ステップ２０５）。この状態で、キー操作部２１７で送信先の電話番号またはメールアドレスを入力して、図示していない発信者画像情報を送信する送信ボタンを押すと（ステップ２０６）、送信手段２２１により、発信者画像情報を送信する（ステップ２０７）。そして、相手の無線通信端末装置である携帯電話装置の応答を待つ（ステップ１０９）。相手が応答すれば、通話が始まり（ステップ１１０）、終話すれば（ステップ１１１）、ステップ１０２の着信待ち受け状態に戻る。
【００４１】
受信側の無線通信端末装置で着信があると（ステップ１０２）、鳴動と発信者電話番号を表示した後（ステップ１０３）、電話番号を照合し、発信者の画像を表示するのは既に図３で述べた動作と同じである。
【００４２】
このように、カメラ付き携帯電話装置２００では、カメラ２４をキー操作部２１７のある側に設け、第一の筐体２２を手で持ってキー操作部２１７を操作する利用者の顔をカメラ２４で撮影し、撮影した画像情報とカメラ付き携帯電話装置２００固有の電話番号または画像情報とメールアドレスを組にした送信専用の発信者画像情報を送信することができるようにしている。
【００４３】
ここでは、カメラ付き携帯電話装置による実施の形態を説明したが、カメラ２４が付いていない携帯電話装置であっても、他のカメラ付き携帯電話装置で撮影した自分の顔の画像情報を送信して貰い、その画像情報と携帯電話装置固有の電話番号または画像情報とメールアドレスを組にして送信専用の発信者画像情報として発信者画像情報記憶手段２２０に記憶しておけば、カメラがなくても上記カメラ付き携帯電話装置２００と同様に、自分の発信者画像情報を送信することができる。また、他の画像取込手段を用いて自分の顔の画像情報を取り込み、電話番号とともに電話番号と関連付けた形で送信専用の発信者画像情報を発信者画像情報記憶手段２２０に記憶するようにしてもよい。
【００４４】
（実施の形態３）
図７に、本発明の第３の実施の形態に係る無線通信端末装置であるカメラ付き携帯電話装置３００を示す。図７に示すカメラ付き携帯電話装置３００は、カメラ２４の隣に発信者画像情報送信スイッチ２７を設けている。他の構成については、図４に示したカメラ付き携帯電話装置２００の構成と同じなので、同じ部分には同じ番号を付して、説明を省略する。
【００４５】
本発明の第３の実施の形態に係るカメラ付き携帯電話装置３００では、利用者が、第一の筐体２２を手で持って第二の筐体２３を開き、キー操作部２１７のテンキーを用いて、送信先の電話番号３１０を入力した後、カメラ２４の隣にある発信者画像情報送信スイッチ２７を押すと、カメラモードの動作が始まり、カメラ２４に電源がはいり、表示手段２５にカメラ２４で撮像している利用者の顔をモニター表示し、表示してから５秒後に自動的に撮影して、画像情報をその端末装置固有の電話番号またはメールアドレスと組にして、送信専用の発信者画像情報として発信者画像情報記憶手段２２０に一旦記憶した後、先に入力した送信先の電話番号３１０へ自動的に送信するようにしている。
【００４６】
このことにより、予めカメラモードを動作させ、カメラ撮影スイッチを押して撮影し、送信先の電話番号やメールアドレスを入力して、その後、送信ボタンを押すという操作手順を踏まなくても、送信先の電話番号３１０またはメールアドレスを入力した後、カメラ２４の隣にある発信者画像情報送信スイッチ２７を押すだけで、自動的に発信者の顔の撮影と発信者画像情報の送信を行うことができる。なお、発信者画像情報送信スイッチ２７を第一の筐体のキー操作部２１７の送信ボタンと兼用することにより、電話番号を入力して送信ボタンを押すという通常の使い方で、電話番号を入力し、自動的に発信者の顔を撮影して発信者画像情報を送信するようにしてもよい。
【００４７】
図８に、本発明の第３の実施の形態に係るカメラ付き携帯電話装置３００の概略ブロック図を示す。図８の構成は、既に図５で説明した本発明の第２の形態に係るカメラ付き携帯電話装置２００の構成に、発信者画像情報送信スイッチ２７を設けた構成であり、他の構成については同じなので、同じ部分には同じ番号を付して、説明を省略する。
【００４８】
図８において、発信者画像情報送信スイッチ２７は、全体制御手段１８に接続している。キー操作部２１７から電話番号が入力され、発信者画像情報送信スイッチ２７が長押しされると、全体制御手段１８は、カメラモード制御手段５０にカメラモードの動作を開始する信号を送る。すると、カメラモード制御手段５０は、電池電源２２７からカメラ２４に電源を入れ、カメラ２４で撮像した画像信号を処理して表示手段２５に表示する。表示が始まってから５秒が経過すると、全体制御手段１８は、カメラモード制御手段５０に撮影を指示する信号を送り、カメラ２４でとらえている画像情報をカメラ用メモリー６１に記憶させる。そして、記憶した画像を全体制御手段１８が、カメラ付き携帯電話装置３００固有の電話番号またはメールアドレスと組にして、送信専用の発信者画像情報として発信者画像情報記憶手段２２０に登録する。登録が完了すると、予め入力された送信先の電話番号へ自動的に送信する。
【００４９】
図９に、本発明の第３の実施の形態に係るカメラ付き携帯電話装置３００の動作のフローチャートを示す。図９によれば、電源がオンして（ステップ１０１）、着信待ち受け状態にあるとき（ステップ１０２）、電話番号またはメールアドレスが入力され（ステップ３０１）、引き続き、発信者画像情報送信スイッチ２７が長押しされると（ステップ３０２）、カメラモードの動作が始まり（ステップ３０３）、カメラ２４でとらえている画像がモニター表示される（ステップ３０４）。そして、モニター表示が始まってから、例えば５秒間という所定時間が経過すると（ステップ３０５）、カメラ２４でとらえている画像をカメラ付き携帯電話装置３００固有の電話番号またはメールアドレスと組にして、送信専用の発信者画像情報として発信者画像情報記憶手段２２０に記憶する。そして、利用者が確認できるように表示手段２５に撮影した画像を表示する（ステップ３０６）。そして、発信者画像情報を送信する（ステップ２０７）。送信先の相手が応答すれば（ステップ１０９）、通話が始まり（ステップ１１０）、終話すれば（ステップ１１１）、着信待ち受け状態のステップ１０２に戻る。その他の動作は図６の動作と同じである。
【００５０】
本発明の第３の実施の形態に係るカメラ付き携帯電話装置３００では、送信先の電話番号等を入力した後、発信者画像情報送信スイッチ２７を長押しすると、カメラ付き携帯電話装置３００を手で持っている利用者の顔に向いているカメラ２４は利用者の顔を撮影して、カメラ付き携帯電話装置３００固有の電話番号またはメールアドレスと組にした送信専用の発信者画像情報を自動的に作成して、先に入力した送信先に送信する。
【００５１】
このことにより、発信作業をした発信者の発信者画像情報が送られるので、予めカメラモードを始動し、発信者の顔を撮影して発信者画像情報記憶手段２２０に記憶させておき、発信者画像情報を読み出して送信するという手間が省けるという効果がある。また、発信直前の画像を簡単に送信することができるので、発信時の発信者の様子を伝える新しい画像を発信の都度送ることができる。
【００５２】
また、他人の携帯電話装置を借りて発信作業をしたとしても、発信作業をした発信者の発信者画像情報が送られるので、予め発信者画像情報記憶手段２２０に記憶させている他人の画像を発信者の画像として誤って送信してしまうことがないので、発信者が他人に成り済ますのを防ぐことができるという効果がある。
【００５３】
（実施の形態４）
図１０に、本発明の第４の実施の形態に係る無線通信端末装置であるカメラ付き携帯電話装置４００を示す。図１０に示すカメラ付き携帯電話装置４００は、第一の筐体２２の側面に、発信者画像情報表示スイッチ２８を設けている。他の構成は、図７で示したカメラ付き携帯電話装置３００と同じであり、同じ部分については同じ番号を付して説明を省略する。
【００５４】
図１１に、本発明に係るカメラ付き携帯電話装置４００の概略ブロック図を示す。図１１に示すカメラ付き携帯電話装置４００の構成は、発信者画像情報表示スイッチ２８を設け、全体制御手段１８に接続している。他の構成は、図８で示したカメラ付き携帯電話装置３００と同じであり、同じ部分については同じ番号を付して説明を省略する。
【００５５】
図１２に、本発明に係るカメラ付き携帯電話装置４００の動作のフローチャートを示す。ここでは、着信動作を説明する。電源がオンになり（ステップ１０１）、着信待ち受け状態で着信があると（ステップ１０２）、着信を報知する鳴動手段が鳴動し、発信者電話番号またはメールアドレスを表示する（ステップ１０３）。受信した発信者電話番号またはメールアドレスに発信者の画像情報が付いているか否かをチェックし（ステップ１０４）、発信者画像情報記憶手段２２０に登録してある電話番号またはメールアドレスと照合し（ステップ１０５）、発信者の画像を登録したり（ステップ１０６）、更新したり（ステップ１１３）、表示できる状態になる（ステップ１１２）。そして、引き続き着信状態が継続していれば（ステップ１０７）、表示手段２５に、発信者画像を表示可能であるという記号または文章を表示し、発信者画像情報表示スイッチ２８の入力を促すことにしている（ステップ４０１）。発信者画像情報表示スイッチ２８が押され表示指示信号が入力されたときは、発信者の画像を表示手段２５に表示する（ステップ４０２）。
【００５６】
なお、表示指示信号が入力されないときは画像を表示しないで応答待ちの状態になる（ステップ１０９）。そのため、発信者が一方的に発信者画像情報を送ってきたとしても、受信者は発信者画像情報表示スイッチ２８を押さず、発信者画像情報を表示させずに着信に応答して通話を始めることができる。
【００５７】
上記の説明では、発信者画像情報が発信者電話番号またはメールアドレスとともに受信側の携帯電話装置に届くという実施の形態を説明しているが、発信者が発信者画像情報をメールセンターに送り、受信者がメールセンターに発信者画像情報を取りに行くシステムでは、見たい発信者の画像だけを選ぶことにより、受信側の携帯電話装置とメールセンター間で不要な通信をしなくて済むという効果がある。
【００５８】
以上、本発明の実施の形態をいくつか説明したが、携帯電話装置は折り畳み式携帯電話装置に限らず、いわゆるストレートタイプの携帯電話装置であってもよい。また、着信した発信者電話番号やメールアドレスに発信者画像情報が付いておらず、発信者画像情報記憶手段に登録されていない発信者電話番号やメールアドレスであったときには、発信者の画像を表示することができないので、着信を自動的に拒否するようにしたり、「発信者画像情報を付けて、おかけ直しください。」という応答メッセージを送出するようにしても良い。
【００５９】
【発明の効果】
以上説明したように、本発明の無線通信端末である携帯電話装置によれば、装置に内蔵している電子電話帳に、発信者の画像情報を予め登録しておかなくても、発信者画像情報を受信し、発信者画像情報記憶手段に記憶させ、発信者電話番号や発信者のメールアドレスを照合して、一致したら発信者の画像を表示することができるので、着信した電話に応答したり、メールを見る前に相手の顔を確認することができるという効果がある。
【００６０】
また、発信者画像情を送信する送信手段を設けることにより、自分の発信者画像情を送信することができる。
【００６１】
更に、本発明によれば、発信者が発信時に自分の顔を撮影して発信者画像情報を送信できる。特に、発信直前の画像を送信することができるので、発信時の発信者の様子を伝えることができる。また、簡単に新しい発信者画像情報を送ることができるので、発信の都度、新しい画像を送って受信者を退屈させないという効果がある。また、発信操作をした人の顔を撮影して送るので、携帯電話装置を他の人が使って発信操作をしたとしても、いわゆる成りすまし電話を防ぐ効果がある。
【００６２】
更に、本発明によれば、発信者画像情報表示スイッチ２８により、着信時に発信者画像を表示するか、非表示にするかを選択できるようにしているため、見る必要のない、または見たくない発信者の画像を表示しないようにできるという効果がある。
【図面の簡単な説明】
【図１】本発明の第１の形態に係る無線通信端末装置の外観図
【図２】本発明の第１の形態に係る無線通信端末装置の概略ブロック図
【図３】本発明の第１の形態に係る無線通信端末装置の動作のフローチャート
【図４】本発明の第２の形態に係る無線通信端末装置の外観図
【図５】本発明の第２の形態に係る無線通信端末装置の概略ブロック図
【図６】本発明の第２の形態に係る無線通信端末装置の動作のフローチャート
【図７】本発明の第３の形態に係る無線通信端末装置の外観図
【図８】本発明の第３の形態に係る無線通信端末装置の概略ブロック図
【図９】本発明の第３の形態に係る無線通信端末装置の動作のフローチャート
【図１０】本発明の第４の形態に係る無線通信端末装置の外観図
【図１１】本発明の第４の形態に係る無線通信端末装置の概略ブロック図
【図１２】本発明の第４の形態に係る無線通信端末装置の動作のフローチャート
【符号の説明】
１８  全体制御手段
２１  ヒンジ
２２  第一の筐体
２３  第二の筐体
２４  カメラ
２５  表示手段
２６  カメラ撮影スイッチ
２７  発信者画像情報送信スイッチ
２８  発信者画像情報表示スイッチ
５０  カメラモード制御手段
２２０  画像情報記憶手段
２２５  電子電話帳
２２８  照合手段
【図１】
2004201221.tif 000003
【図２】
2004201221.tif 000004
【図３】
2004201221.tif 000005
【図４】
2004201221.tif 000006
【図５】
2004201221.tif 000007
【図６】
2004201221.tif 000008
【図７】
2004201221.tif 000009
【図８】
2004201221.tif 000010
【図９】
2004201221.tif 000011
【図１０】
2004201221.tif 000012
【図１１】
2004201221.tif 000013
【図１２】
2004201221.tif 000014